(57)【要約】【課題】  照明の透明部材等の損傷を防止できる階段を提供する。【解決手段】  本発明の階段１において、踏板３は下面に透明部材収納部２３と光源収納部２５とを有し、透明部材収納部２３は踏板３の左右方向に長く設けてあり、光源収納部２５は透明部材収納部２３に隣接して設けてあり、透明部材７は前端面７ｂと下面７ｃのみを露出して透明部材収納部２３に収納してあり、上面に光反射部２７を有し、下面７ｃが踏板３の下面３ｃと略同一面としてあると共に前端面７ｂが踏板３の前端面３ｂと略同一面としてあり、光源２９は透明部材の左右方向の少なくとも一端面に対向して光源収納部２５に配置してあり、透明部材７の左右方向の端面から入射した光が透明部材７の前端面７ｂ及び下面７ｃから出射する。【選択図】      図１
2007009445.tif 000002
【特許請求の範囲】
【請求項１】
踏板と、踏板支持具と、透明部材と、光源とを備え、踏板支持具は踏板の左右方向端部側の下面に設けて踏板を支持しており、踏板は下面に透明部材収納部と光源収納部とを有し、透明部材収納部は踏板の左右方向に長く設けてあり、光源収納部は透明部材収納部に隣接して設けてあり、透明部材は前端面と下面のみを露出して透明部材収納部に収納してあり、上面に光反射部を有し、下面が踏板の下面と略同一面としてあると共に前端面が踏板の前端面と略同一面としてあり、光源は透明部材の左右方向の少なくとも一端面に対向して光源収納部に配置してあり、透明部材の左右方向の端面から入射した光が透明部材の前端面及び下面から出射することを特徴とする階段。
【請求項２】
踏板支持具は、中空部を有しており、上端で光源収納部を塞ぐと共に中空部に光源の配線を通していることを特徴とする請求項１に記載の階段。
【発明の詳細な説明】
【技術分野】
【０００１】
本発明は、建物に設置される階段に関する。
【背景技術】
【０００２】
特許文献１には、踏板の前端に透明部材を設け、透明部材の左右方向の端面に光源を配置して、透明部材の左右方向端面から入射した光を前端面及び下面から出射することが開示されている。この特許文献１の技術では、透明部材は踏板の前端に食み出して設け、上下前面を露出している。
【０００３】
【特許文献１】特開２００２−１３２６７号公報
【発明の開示】
【発明が解決しようとする課題】
【０００４】
しかし、特許文献１では、透明部材は踏板の前端に設けてその上面を露出しているので、階段を上り下りする人の足に踏み付けられて損傷するおそれがある。
また、特許文献１では、透明部材は踏板の前端に設けて、下段の踏板の前端面のみを照らすので、照明効果が不十分であるという問題がある。
【０００５】
そこで、本発明は、照明の透明部材等の損傷を防止できる階段の提供を目的とする。
【課題を解決するための手段】
【０００６】
請求項１に記載の発明は、踏板と、踏板支持具と、透明部材と、光源とを備え、踏板支持具は踏板の左右方向端部側の下面に設けて踏板を支持しており、踏板は下面に透明部材収納部と光源収納部とを有し、透明部材収納部は踏板の左右方向に長く設けてあり、光源収納部は透明部材収納部に隣接して設けてあり、透明部材は前端面と下面のみを露出して透明部材収納部に収納してあり、上面に光反射部を有し、下面が踏板の下面と略同一面としてあると共に前端面が踏板の前端面と略同一面としてあり、光源は透明部材の左右方向の少なくとも一端面に対向して光源収納部に配置してあり、透明部材の左右方向の端面から入射した光が透明部材の前端面及び下面から出射することを特徴とする。
【０００７】
請求項２に記載の発明は、請求項１に記載の発明において、踏板支持具は、中空部を有しており、上端で光源収納部を塞ぐと共に中空部に光源の配線を通していることを特徴とする。
【発明の効果】
【０００８】
請求項１に記載の発明によれば、透明部材及び光源は踏板の下面に設けた収納部に収納してあるので、階段を上り下りする人に踏み付けられることがないので、透明部材及び光源が損傷するのを防止できる。
透明部材及び光源は踏板内に設けた収納部内にすっきりと納まっているので、外観が良い。
透明部材は踏板の下面に左右方向に長く設けてあり、下面から出射する光で下段の踏板全体を照らすので安心して上り下りすることができる。
【０００９】
請求項２に記載の発明によれば、請求項１に記載の効果を奏すると共に、光源の配線を踏板支持具の中空部内に通しているので、配線が外から見えず外観が良いと共に配線の損傷を防止できる。
また、踏板支持具が光源収納部の塞ぎ材を兼ねているので、組立性がよくコストダウンを図ることができる。
【００１０】
以下に、添付図面を参照して本発明の実施の形態を説明する。図１は本実施の形態にかかる階段の図であり、図１（ａ）は図２に示す本実施の形態にかかる階段をＡ―Ａ位置で切断して示す断面図であり、図１（ｂ）は図１（ａ）のＢ―Ｂ断面図であり、図２は本実施の形態にかかる階段の側面図であり、図３は踏板に配置された透明部材と光源装置とを示す図であり、（ａ）は平面図であり、（ｂ）は正面図であり、（ｃ）は側面図である。尚、図３において、二点鎖線で示すのは踏板である。
本実施の形態にかかる階段１は、踏板３と、踏板支持具５と、透明部材７と、光源２９とを備えている。
踏板支持具５は下端５ｃが傾斜した桁１３、１３の上面に取付けられており、踏板３の左右方向端部側の下面に設けて上端５ａで踏板３を支持している。踏板支持具５は、上端５ａが開口する中空部１１を内部に有しており、本実施の形態では、上端５ａと下端５ｃが開口した角パイプであり、押出形材で作られている。踏板支持具５の上端５ａは切断して、略水平にしている。
踏板支持具５の下端５ｃは桁１３に設けた嵌合溝１５に嵌合している。嵌合溝１５は桁１３の上面に間隔を開けて設けた２条の突条１７、１７と、突条１７、１７間における桁１３の上面１３ａとで形成されている。各突条１７は縦断面が略コ字状を成しており、嵌合溝１５と反対側の側面が開口した溝状になっている。突条１７の開口１７ａは、長手方向に亘って目板１２を嵌めて塞がれている。
踏板支持具５は、側面５ｂを突条１７に固着具１９で固定してある。本実施の形態では、固着具１９はねじである。固着具１９の頭は突条１７の溝内に配置されており、固着具１９の頭は目板１２により隠してある。
踏板３は下面３ｃに透明部材収納部２３と、透明部材収納部２３に隣接配置した光源収納部２５とを有している。透明部材収納部２３は、踏板３の左右方向に長く設けてあり且つ透明部材７の前端面７ｂと下面７ｃのみを露出して透明部材７を収納している。光源収納部２５は透明部材収納部２３に開口していると共に下方が開口している。即ち、光源収納部２５は透明部材収納部２３に連通している。
また、踏板３の前端面３ｂは下方を向いた傾斜面になっており、前端面３ｂの傾斜面に連続して且つ面一に透明部材７の前端面７ｂが配置してある。
透明部材７は、高光透過透明材であり、本実施の形態ではアクリル樹脂である。また、透明部材７の上面７ａには光反射部２７が設けてある。光反射部２７は乱反射用インキで形成した模様であり、乱反射用インクの模様は多数の四角形状を配列した模様を印刷したものである。
透明部材７は、透明部材収納部２３の深さと略同じ厚みを有し、踏板３の下面３ｃと透明部材７の下面７ｃとが略同一面としてある。
光源２９は回路ボックス３１が一体に構成された電源装置９に組み込まれており、回路ボックス３１には配線２１が接続されている。光源２９はＬＥＤである。
光源装置９は、光源収納部２５に収納されて透明部材７の左右方向の端面（小口）に配置してあり、光源２９の光を透明部材７の左右方向の端面から入射している。
光源装置９も光源収納部２５の深さと略同じ厚みを有し、踏板３の下面３ｃと光源装置９の下面７ｃとが略同一面としてある。
光源装置９の配線２１は、踏板支持具５の中空部１１から踏板支持具５の側面５ｂに形成した配線挿通孔２８を介して突条１７内を通って配線されて、電源に接続されている。
【００１１】
次に、本実施の形態にかかる階段１の施行、作用効果について説明する。
階段１の施工は、桁１３、３を所定の角度にして、床２０と階上の躯体２２とに固定した後、踏板支持具５の下端５ｃを桁３の嵌合溝１５に嵌めて固着具１９により突条１７に固定する。尚、踏板支持具５の上端５ａは桁３の傾斜角度に応じて上端が水平になるように予め切断しておく。
踏板７には、透明部材収納部２３に透明部材７を取付け、光源収納部２５に光源装置９を取付け、透明部材７の端面に光源２９を対面させて配置する。
そして、踏板７の下面７ｂに嵌合具３１取付け、嵌合具３１を踏板支持具５の上端から中空部１１内に嵌合して、踏板支持具５の両側面５ｂ、５ｂに固着具１８で固定する。尚、光源装置９の配線２１は踏板支持具５の中空部１１内に通し、更に踏板支持具５の中空部１１から突条１７の内部に通して、電源に接続する。
本実施の形態によれば、透明部材７及び光源９は踏板３の下面に設けた収納部２３、２５に収納しており、階段を上り下りする人に踏み付けられることがないので、透明部材７及び光源９が損傷するのを防止できる。
透明部材７及び光源９は踏板３内に設けた収納部２３、２５内にすっきりと納まっているので、外観が良い。
踏板支持具５が光源収納部２５の塞ぎ材を兼ねているので、組立性がよくコストダウンを図ることができる。
透明部材７は下面７ｃを踏板３の下面３ｃと略同一面としており前端面７ｂを踏板の前端面３ｂと同一面として、踏板３から突設しないので外観がよい。
光源装置９の配線２１を踏板支持具５の中空部１１内に配置しているので、配線２１が外から見えず外観が良いと共に配線２１の損傷を防止できる。更に、実施の形態では、桁１３に設けてある突条１７内に通して電源に繋いでいるので、階段１の全体においても配線２１を隠すことができる。
踏板支持具５は上端５ａを任意の角度に切断して用いることができ、桁１３の傾斜角度が変わる場合には、上端５ａの傾斜角度を変えて切断したものを用いることにより、同種の踏板支持具５を用いて階段１を施工することができる。
また、施工現場で、踏板支持具５の上端５ａを切断して傾斜角度を調整することもできるので、施工現場での施工性が良い。
踏板支持具５は、桁１３の嵌合溝１５に嵌めて、固着具１９により突条１７に固定するので、位置決めした後にそのまま突条１７に固定でき、踏板支持具５の固定が容易にできる。
踏板３は、下面３ｃに取付けた嵌合具３１を踏板支持具５の中空部１１内に上端から嵌合して踏板支持具５の側壁５ｂに固着具１９で固定するので、固定が容易にできる。
踏板７の下面３ｃは踏板支持具５の上端５ａに当接しているから、踏板７の安定性が良い。
踏板支持具５は、上端５ａから中空部１１内に嵌合具１３を嵌めているので、嵌合具１３が外側から見えず、外観が良い。
踏板支持具５には、押出形材を用いているので、製造が容易で且つ安価である。
突条１７の側面にある開口を目板１２により塞いでいるので、踏板支持具５を突条１７に固定している固着具１９が外側から見えず、外観が良い。
【００１２】
本発明は、上述した実施の形態に限らず、本発明の要旨を逸脱しない範囲で種々変形可能である。
例えば、透明部材７はパネル状に限らず、ロッド状であってもよく形状は制限されない。
透明部材７は、アクリル樹脂に限らず、アクリル樹脂と同程度以上の高光透過性を有する透明材であれば良く、例えば、ポリカーボネートやポリアリレート等の透明材を用いても良い。
透明部材７の上面に設ける光反射部２７は、乱反射用インクを点状に付したものであってもよいし、矩形に変えて円形に描いたものであってもよく、線や点で描く模様は制限されない。また、光反射部２７は乱反射するシートを貼付したものであってもよいし、透明部材７の上面に細かい溝や凸凹を付けるものであってもよい。
光源２９は、ＬＥＤに限らず、豆電球や蛍光灯であってもよい。
透明部材７の左右方向の両端面の各々に光源２９を対向配置するものであってもよい。
配線２１は、踏板支持具５の中空部１１から桁１３の中空部に通して配線するものであってもよい。
【図面の簡単な説明】
【００１３】
【図１】本実施の形態にかかる階段の図であり、図１（ａ）は図２に示す階段をＡ―Ａ位置で切断して示す断面図であり、図１（ｂ）は図１（ａ）のＢ―Ｂ断面図である。
【図２】本実施の形態にかかる階段の側面図である。
【図３】踏板に配置された透明部材と光源装置とを示す図であり、（ａ）は平面図であり、（ｂ）は正面図であり、（ｃ）は側面図である。
【符号の説明】
【００１４】
１      階段
３      踏板
３ｃ    下面
５      踏板支持具
７      透明部材
７ｂ    前端面
７ｃ    下面
１１    中空部
２１    配線
２３    透明部材収納部
２５    光源収納部
２７    光反射部
２９    光源
【図１】
2007009445.tif 000003
【図２】
2007009445.tif 000004
【図３】
2007009445.tif 000005